(57)【要約】【課題】ユーザの視界を妨げることなく、照明による反射光が映り込まない鮮明な虹彩画像を撮像することが可能な制御システム、情報処理装置、制御方法、およびプログラムを提供する。【解決手段】左右いずれか一方の眼に向けて光を照射する照明部と、前記一方と異なる他方の眼を撮像する撮像部と、前記照明部により前記一方の眼に向けて光を照射している際に前記他方の眼を前記撮像部により撮像するよう制御する制御部と、を備える、制御システム。【選択図】図１
2016080031.tif 000002
【特許請求の範囲】
【請求項１】
左右いずれか一方の眼に向けて光を照射する照明部と、
前記一方と異なる他方の眼を撮像する撮像部と、
前記照明部により前記一方の眼に向けて光を照射している際に前記他方の眼を前記撮像部により撮像するよう制御する制御部と、
を備える、制御システム。
【請求項２】
前記制御システムは、
前記撮像部により撮像された撮像画像から虹彩画像を認識する虹彩認識部をさらに備える、請求項１に記載の制御システム。
【請求項３】
前記制御システムは、
前記撮像画像から認識される瞳孔のサイズを検出する瞳孔サイズ検出部をさらに備え、
前記制御部は、前記検出された瞳孔サイズに応じて、目的の瞳孔サイズを取得するよう照明制御を行う、請求項２に記載の制御システム。
【請求項４】
前記制御部は、前記検出された瞳孔サイズが目的の瞳孔サイズより大きい場合、照度を上げるよう照明制御する、請求項３に記載の制御システム。
【請求項５】
前記制御部は、前記検出された瞳孔サイズが目的の瞳孔サイズより小さい場合、照度を下げるよう照明制御する、請求項３に記載の制御システム。
【請求項６】
前記制御部は、前記認識された虹彩画像に基づく虹彩コード、当該虹彩画像を認識した際の瞳孔サイズ、およびユーザＩＤを対応付けて記憶するよう制御する、請求項２に記載の制御システム。
【請求項７】
前記制御システムは、
前記認識された虹彩画像に基づいて虹彩認証を行う虹彩認証部をさらに備える、請求項２に記載の制御システム。
【請求項８】
前記制御部は、前記照明部による照明がＯＦＦの状態から撮像を開始するよう制御する、請求項１に記載の制御システム。
【請求項９】
左右いずれか一方の眼を撮像する撮像部と、
前記一方と異なる他方の眼に向けて光を照射する照明部と、
前記照明部により前記他方の眼に向けて光を照射している際に前記一方の眼を前記撮像部により撮像するよう制御する制御部と、
を備える、情報処理装置。
【請求項１０】
照明部により左右いずれか一方の眼に向けて光を照射している際に、前記一方と異なる他方の眼を撮像部により撮像するよう制御することを含む、制御方法。
【請求項１１】
コンピュータを、
照明部により左右いずれか一方の眼に向けて光を照射している際に、前記一方と異なる他方の眼を撮像部により撮像するよう制御する制御部として機能させるための、プログラム。
【発明の詳細な説明】
【技術分野】
【０００１】
本開示は、制御システム、情報処理装置、制御方法、およびプログラムに関する。
【背景技術】
【０００２】
従来、人間の身体的特徴から個人を識別する生体認証技術が提案されている。例えば、指紋、掌形、網膜、顔、音声等が生体認証に利用されている。また、人間の眼球にある虹彩も個人で異なる特徴を持つため、虹彩の特徴を利用した虹彩認証システムが、例えば下記特許文献１で提案されている。【０００３】
全ての人間の眼の虹彩は、高度に複雑な特有の組織を有し、それは本質的に不変であることが判明している。同じ人物でさえ、両虹彩の組織またはディテールは同じではない。虹彩は光に反応して瞳孔の寸法を調節するために伸長および収縮する。この際、虹彩パターンがわずかに変化し、この変化が認証時の精度に影響を与えることがある。また、このような虹彩の特徴の解析方法について、例えば下記特許文献２では虹彩コードの生成方法が開示されている。具体的には、撮像画像内に存在する虹彩を認識し、虹彩の内側境界（瞳孔との円形境界）と虹彩の外側境界を決定し、円形の虹彩を分離する。次いで、分離された虹彩イメージ上に極座標系を設定する。座標系の原点は瞳孔との円形境界の中心に置かれる。その後、極座標変換した虹彩イメージの特徴量抽出を行い、全ての虹彩に対して普遍的なフォーマットを有する固定された長さの虹彩コードを生成する。このように生成した虹彩コードを基準コードとして記憶し、認証の際は、同様にコード化した虹彩コードと予め記憶した基準コードとを比較して同一個人であるか否かが判断される。【０００４】
また、虹彩認証の際、登録時の瞳孔の大きさと同じ大きさの瞳孔にすることが認証精度を上げることにつながるため、下記特許文献３では、照明の強度を経時的に緩やかに変化させて眼の瞳孔の大きさを変化させ、瞳孔の大きさが異なる複数の眼の画像を連続的に撮影するシステムが提案されている。【０００５】
また、瞳孔の大きさを調節して虹彩を撮像する場合、一般的な方法として眼に照明を当てて調節するが、このとき照明光が虹彩の手前にある角膜で反射し、輝点となって虹彩画像に重なってしまう場合がある。輝点が虹彩のパターンの一部を隠すように映り込んでしまうと認証精度に著しく悪影響があるため、照明による反射光が虹彩を隠さないように撮像する必要がある。例えば下記特許文献４では、撮像の方向と照明の光軸を一致させることによって、輝点が虹彩を隠してしまうことを回避している。
【先行技術文献】
【特許文献】
【０００６】
【特許文献１】特公平５−８４１６６号公報
【特許文献２】特許第３３０７９３６号公報
【特許文献３】特開２０００−１９４８５５号公報
【特許文献４】特許第４５２７０８８号公報
【発明の概要】
【発明が解決しようとする課題】
【０００７】
しかしながら、上記特許文献４に記載の方法では、カメラを視線の正面に配置しなければならないため、視野が遮られてしまう問題があった。【０００８】
そこで、本開示では、ユーザの視界を妨げることなく、照明による反射光が映り込まない鮮明な虹彩画像を撮像することが可能な制御システム、情報処理装置、制御方法、およびプログラムを提案する。
【課題を解決するための手段】
【０００９】
本開示によれば、左右いずれか一方の眼に向けて光を照射する照明部と、前記一方と異なる他方の眼を撮像する撮像部と、前記照明部により前記一方の眼に向けて光を照射している際に前記他方の眼を前記撮像部により撮像するよう制御する制御部と、を備える、制御システムを提案する。【００１０】
本開示によれば、左右いずれか一方の眼を撮像する撮像部と、前記一方と異なる他方の眼に向けて光を照射する照明部と、前記照明部により前記他方の眼に向けて光を照射している際に前記一方の眼を前記撮像部により撮像するよう制御する制御部と、を備える、情報処理装置を提案する。【００１１】
本開示によれば、照明部により左右いずれか一方の眼に向けて光を照射している際に、前記一方と異なる他方の眼を撮像部により撮像するよう制御することを含む、制御方法を提案する。【００１２】
本開示によれば、コンピュータを、照明部により左右いずれか一方の眼に向けて光を照射している際に、前記一方と異なる他方の眼を撮像部により撮像するよう制御する制御部として機能させるための、プログラムを提案する。
【発明の効果】
【００１３】
以上説明したように本開示によれば、ユーザの視界を妨げることなく、照明による反射光が映り込まない鮮明な虹彩画像を撮像することが可能となる。【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態による情報処理システムの概要を説明する図である。
【図２】従来の手法により撮像した虹彩の撮像画像について説明する図である。
【図３】本実施形態の手法により撮像した虹彩の撮像画像について説明する図である。
【図４】本実施形態による情報処理装置の構成の一例を示すブロック図である。
【図５】本実施形態による虹彩コードの登録処理を示すフローチャートである。
【図６】本実施形態による虹彩認証処理を示すフローチャートである。
【図７】本実施形態の変形例による情報処理装置を説明する図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、説明は以下の順序で行うものとする。
１．本開示の一実施形態による情報処理システムの概要
２．構成
３．動作処理
３−１．登録処理
３−２．認証処理
４．補足
５．まとめ
【００１８】
＜＜１．本開示の一実施形態による情報処理システムの概要＞＞
まず、本開示の一実施形態による情報処理システムの概要を図１に示して説明する。図１に示すように、本実施形態による情報処理システムは、例えばメガネ型ウェアラブルデバイス（スマートアイグラス）により実現される情報処理装置１であってもよい。
【００１９】
情報処理装置１は、図１に示すように、ユーザに装着された際にユーザの右眼の前に位置する右眼用レンズ部２Ｒと、ユーザの左眼の前に位置する左眼用レンズ部２Ｌとを有する。また、右眼用レンズ部２Ｒの縁部には、右眼に向けて光を照射する照明部１６が設けられ、左眼用レンズ部２Ｌの縁部には、左眼を撮像する撮像部１０が設けられている。なお、照明部１６および撮像部１０の設置位置は図１に示す例に限定されず、照明部１６は左右いずれか一方の眼に向けて光を照射するよう設けられればよく、また、撮像部１０は照明部１６が照明する一方の眼とは異なる他方の眼を撮像するよう設けられればよい。
【００２０】
（背景）
従来、虹彩認証または登録の際に、瞳孔の大きさを調節して虹彩を撮像する場合、一般的な方法として眼に照明を当てて瞳孔の大きさが調節されていた。瞳孔は、生体反射により照明を強くすると縮小し、弱めると拡大するためである。
【００２１】
しかしながら、照明を当てて撮像を行うと、照明光が虹彩の手前にある角膜で反射し、輝点となって虹彩画像に重なってしまう場合があり、輝点が虹彩のパターンの一部を隠すように映り込んでしまうと認証精度に著しく悪影響があった。図２は、従来の手法により撮像した虹彩の撮像画像について説明する図である。図２に示すように、従来は、眼３に対して照明部１６０により照明を当てて瞳孔３１の大きさを調節し、撮像部１００で眼３を撮像していた。この場合、撮像画像４０に示すように、照明からの光が虹彩３０の手前にある角膜で反射し、輝点３３として映り込んでしまうという問題があった。輝点３３が虹彩３０の上に重なってしまうと、虹彩３０の特徴情報が一部欠けてしまい、虹彩認証の認識率に著しい悪影響を及ぼすことになる。
【００２２】
そこで、本実施形態では、共感性対光反射を利用し、片方の眼に照明を当てて瞳孔の大きさを調節しながら、照明が当たっていない方の眼を撮像することで、照明の反射光に影響されることなく鮮明な虹彩画像を取得するシステムを提案する。光が網膜に当たると、この刺激が視神経を通って視蓋前核に達し、介在ニューロンを介してエディンガー・ウェストファル（Ｅ−Ｗ）核で中継され、動眼神経の副交感性線維に伝わる。また、左右の視蓋前核は後交連を介してつながっているため、片側の視神経から来た信号が両側の視蓋前核に伝わり、片眼だけに光を当てた場合でも両眼の瞳孔が収縮する。このように光を当てていない側の瞳孔が縮小することを、一般に共感性対光反射と称す。
【００２３】
本実施形態では、上述した共感性対光反射を利用して、例えば図３に示すように、輝点が映り込まない虹彩画像を取得する。図３は、本実施形態の手法により撮像した虹彩の撮像画像について説明する図である。図３に示すように、本実施形態では、片方の眼、例えば左眼３Ｌに照明を当てて瞳孔の大きさを調節すると、共感性対光反射により反対側の右眼３Ｒの瞳孔も同様に大きさが変化するため、撮像部１００により右眼３Ｒを撮像する。照明が当たっていない方の眼を撮像することにより、撮像画像４２に示すように、照明の反射光に影響されることなく鮮明な虹彩３０の画像を取得することができる。
【００２４】
以上、本開示の一実施形態による情報処理システムの概要について説明した。
なお、図１では、情報処理装置１がメガネ型ウェアラブルデバイス（スマートアイグラス）により実現される場合について示したが、本開示はこれに限定されず、情報処理装置１は、ゴーグル、双眼鏡、フルフェイスのヘルメット、ツバ付きの帽子、またはサンバイザー等により実現されてもよい。例えば双眼鏡により実現される場合、虹彩による個人認証に基づいて、双眼鏡の各種設定が当該個人用にカスタマイズされ得る。また、情報処理装置１は、双眼実体顕微鏡のように設置され覗き込むタイプであってもよいし、壁等に埋め込まれる等固定されているタイプであってもよい。
【００２５】
続いて、本実施形態による情報処理システムを実現する情報処理装置１の構成について図４を参照して説明する。
【００２６】
＜＜２．構成＞＞
図４は、本実施形態による情報処理装置１の構成の一例を示すブロック図である。図４に示すように、情報処理装置１は、撮像部１０、画像取得部１１、瞳孔サイズ検出部１２、瞳孔サイズ比較部１３、虹彩コード記憶部１４、照明制御部１５、照明部１６、撮像制御部１７、虹彩認識部１８、および虹彩認証部１９を有する。
【００２７】
撮像部１０は、ユーザの眼を撮像するデバイスである。例えば、撮像部１０は、情報処理装置１が図１に示すようにメガネ型ウェアラブルデバイスである場合、ユーザに装着された際にユーザの左右いずれか一方の眼を撮像するようレンズ部の縁部において内側に向けて設けられる。
【００２８】
画像取得部１１は、撮像部１０により撮像された眼の画像を取得する。
【００２９】
瞳孔サイズ検出部１２は、画像取得部１１により取得された眼の画像から瞳孔サイズを検出する。具体的には、例えば眼の画像を解析して瞳孔境界を決定し、その大きさ（瞳孔径）を検出する。
【００３０】
瞳孔サイズ比較部１３は、瞳孔サイズ検出部１２により検出された瞳孔サイズが目的の瞳孔サイズであるか否かを判断する。目的の瞳孔サイズとは、虹彩登録時の場合は登録用の既定の瞳孔サイズであって、また、虹彩認証時の場合は登録済みの瞳孔サイズである。登録済みの瞳孔サイズは、虹彩コード記憶部１４から取得される。
【００３１】
虹彩コード記憶部１４は、登録された虹彩コード、当該虹彩コード取得時の瞳孔サイズ、およびユーザＩＤが対応付けて記憶されている。
【００３２】
照明制御部１５は、瞳孔サイズ比較部１３の比較結果に基づいて、瞳孔の大きさを調節するためにユーザの眼に光を照射する照明部１６を制御する。例えば照明制御部１５は、照明部１６のＯＮ／ＯＦＦや、照度の調整（照度ＵＰ／ＤＯＷＮ）を行う。上述したように、生体反射により照明を強くすると瞳孔は縮小し、弱めると瞳孔は拡大するため、照明制御部１５は、検出された瞳孔サイズが目的の瞳孔サイズより大きい場合は照度を上げるよう制御し、目的の瞳孔サイズより小さい場合は照度を下げるよう制御する。
【００３３】
照明部１６は、ユーザの眼に可視光を照射するデバイスである。照明部１６は、例えばＬＥＤ（light emitting diode）により実現される。また、照明部１６は、情報処理装置１が図１に示すようにメガネ型ウェアラブルデバイスである場合、ユーザに装着された際にユーザの左右いずれか一方の眼を照明するようレンズ部の縁部において内側に向けて設けられる。また、照明部１６は、撮像部１０が撮像する眼とは異なる方の眼を照明する。
【００３４】
撮像制御部１７は、撮像部１０による撮像を制御する。例えば撮像制御部１７は、瞳孔サイズ比較部１３により、検出された瞳孔サイズが目的の瞳孔サイズと一致しない場合、再度撮像するよう制御する。また、撮像制御部１７は、照明制御部１５により眼に光が照射されている際に、撮像を行うよう制御する。
【００３５】
虹彩認識部１８は、画像取得部１１により取得された眼の画像から虹彩を認識する。具体的には、虹彩認識部１８は、眼の画像から虹彩の内側境界（瞳孔との円形境界）と虹彩の外側境界を決定して円形の虹彩を分離し、分離した虹彩イメージを極座標変換して特徴量抽出を行い、所定の符号化処理により虹彩コードを生成することが可能である。そして、虹彩認識部１８は、虹彩登録時には、瞳孔サイズ比較部１３により目的の瞳孔サイズと判断された場合、その時の虹彩画像から生成した虹彩コードを虹彩コード記憶部１４に出力する。また、虹彩認証時には、瞳孔サイズ比較部１３により目的の瞳孔サイズと判断された場合、その時の虹彩画像から生成した虹彩コードを虹彩認証部１９に出力する。
【００３６】
虹彩認証部１９は、虹彩認識部１８から出力された虹彩コードと、虹彩コード記憶部１４に予め登録された虹彩コードとを比較して、同一個人であるか否かの認証を行う。
【００３７】
以上、本実施形態による情報処理装置１の構成について説明した。上述した情報処理装置１には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、および不揮発性メモリを備えたマイクロコンピュータが搭載され、情報処理装置１の各構成を制御する。
【００３８】
また、図４に示す情報処理装置１の構成は一例であって、本開示はこれに限定されない。例えば、撮像部１０および照明部１６以外の構成がメガネ型ウェアラブルデバイスとは別体（スマートフォン等）に設けられ、両者が無線／有線通信によりデータの送受信を行うことで、照明制御や撮像制御、撮像画像の取得が行われてもよい。
【００３９】
＜＜３．動作処理＞＞
次に、本実施形態の動作処理について図５〜図６を参照して説明する。
【００４０】
＜３−１．登録処理＞
図５は、本実施形態による虹彩コードの登録処理を示すフローチャートである。図５に示すように、まず、ステップＳ１０３において、照明制御部１５は、照明部１６の照明をＯＦＦにするよう制御する。なお、人間の眼は瞳孔が縮小する速度の方が拡大する速度より速いため、虹彩画像を撮像するにあたり瞳孔が拡大した状態、すなわち照明が消灯した状態から開始する方が全体の撮像時間を短縮することができるため、本実施形態では一例として照明ＯＦＦの状態から登録処理を開始している。
【００４１】
次に、ステップＳ１０６において、撮像制御部１７は、撮像部１０により虹彩の撮像を行うよう制御する。
【００４２】
次いで、ステップＳ１０９において、瞳孔サイズ検出部１２は、撮像部１０により撮像され、画像取得部１１により取得された虹彩の撮像画像に基づいて、瞳孔サイズの検出を行う。
【００４３】
次に、ステップＳ１１２において、瞳孔サイズ比較部１３は、瞳孔サイズ検出部１２により検出された瞳孔サイズが目的の瞳孔サイズであるか否かを確認する。ここでは、例えば予め規定された、虹彩認証に適した瞳孔の大きさであるか否かを確認する。
【００４４】
次いで、目的の瞳孔サイズでは無い場合（Ｓ１１２において「Ｎｏ」）、ステップＳ１１５において、照明制御部１５は、現在の照度が最大照度か否かを判断する。
【００４５】
続いて、最大照度では無い場合（Ｓ１１５において「Ｎｏ」）、ステップＳ１１８において、照明制御部１５は、照明ＯＮまたは照度ＵＰ（照明の強度を大きくする）制御を行う。最大照度とは、予め設定されている照明部１６の限界照度である。また、照明部１６の限界照度は、人間の眼に対して照射する光の強度に関する所定の規格（人体に害を及ぼさない値）を考慮して設定される。
【００４６】
以上説明したＳ１０３〜Ｓ１１８を繰り返し、目的の瞳孔サイズに調節することができる。上述したように、瞳孔は、生体反射により照明を強くすると縮小し、弱めると拡大するため、照明ＯＦＦの状態から段階的に照度を上げることで目的の瞳孔サイズに調節することができる。
【００４７】
一方、最大照度に達した場合（Ｓ１１５において「Ｙｅｓ」）、登録処理を終了する。
【００４８】
次に、目的の瞳孔サイズに調節できた場合（Ｓ１１２において「Ｙｅｓ」）、ステップＳ１２１において、瞳孔サイズ検出部１２により検出した瞳孔サイズと、虹彩認識部１８により認識され、生成された虹彩コードが、虹彩コード記憶部１４に記憶される。この際、ユーザＩＤも併せて記憶される。このようにして、虹彩コードの登録が行われる。
【００４９】
次いで、ステップＳ１２４において、虹彩コードを目的の回数だけ記憶（取得）したか否かを判断する。複数の異なる瞳孔サイズに基づく虹彩コードを記憶しておくことで、虹彩認証の精度を上げることが可能となるためである。
【００５０】
そして、目的の回数に達していない場合（Ｓ１２４において「Ｎｏ」）、照明制御部１５は最大照度か否かを判断し（Ｓ１１５）、最大照度でなければ照明部１６の照度を上げて（Ｓ１１８）、再度虹彩コードの取得を行う（Ｓ１０６〜Ｓ１２１）。
【００５１】
一方、目的の回数に達した場合（Ｓ１２４において「Ｙｅｓ」）、登録処理を終了する。
【００５２】
以上、本実施形態による虹彩コードの登録処理について具体的に説明した。続いて、図６を参照して本実施形態による虹彩認証処理について説明する。
【００５３】
＜３−２．認証処理＞
図６は、本実施形態による虹彩認証処理を示すフローチャートである。図６に示すように、まず、ステップＳ２０３において、照明制御部１５は、照明部１６の照明をＯＦＦにするよう制御する。
【００５４】
次に、ステップＳ２０６において、撮像制御部１７は、撮像部１０により虹彩の撮像を行うよう制御する。
【００５５】
次いで、ステップＳ２０９において、瞳孔サイズ検出部１２は、撮像部１０により撮像され、画像取得部１１により取得された虹彩の撮像画像に基づいて、瞳孔サイズの検出を行う。
【００５６】
次に、ステップＳ２１２において、瞳孔サイズ比較部１３は、瞳孔サイズ検出部１２により検出された瞳孔サイズを、記録された瞳孔サイズと比較して、認証に適した瞳孔サイズを目的の瞳孔サイズとする。
【００５７】
次いで、瞳孔サイズが合っていない（目的の瞳孔サイズと異なる）場合（Ｓ２１５において「Ｎｏ」）、ステップＳ２１８において、照明制御部１５は、照明ＯＮまたは照度制御（照度ＵＰ／ＤＯＷＮ）制御を行う。すなわち、照明制御部１５は、瞳孔サイズを目的の瞳孔サイズに近づけるため照明の強さを調節する。
【００５８】
一方、瞳孔サイズが合っている場合（Ｓ２１５において「Ｙｅｓ」）、ステップＳ２２１において、虹彩認証部１９は、虹彩認証を行う。すなわち、虹彩認証部１９は、瞳孔サイズが合っている虹彩画像に基づいて虹彩認識部１８が生成した虹彩コードと、虹彩コード記憶部１４に記憶された、瞳孔サイズがある程度一致する虹彩コードとを比較して、同一個人であるかの認証を行う。
【００５９】
以上、本実施形態による虹彩認証処理について具体的に説明した。なお、一個人に対応する登録虹彩コードが複数ある場合、すなわち複数の瞳孔サイズ各々について虹彩コードが生成されて登録されていた場合、虹彩認証部１９は、一または複数の瞳孔サイズ毎に虹彩コードの認証を行ってもよい。
【００６０】
また、上記Ｓ２１８において、照度制御を行う場合、照明部１６による照明強度の大きさだけではなく、メガネ型ウェアラブルデバイスのレンズ部が遮光フィルターを備えている場合、当該遮光フィルターを制御することにより眼に照射される光の量を調整することも可能である。
【００６１】
また、照明部１６が複数設けられている場合、照明制御部１５は、点灯する照明部１６の数や、それぞれの照明の強度により、全体の照度を調整することが可能である。
【００６２】
また、撮像制御部１７は、照明制御部１５と連動して撮像するよう制御してもよい。例えば、撮像制御部１７は、照明部１６による照明が行われる際に、照明を開始してから所定時間後に撮像を行う。人間の眼に光が照射された場合に、眼の瞳孔が変化する対光反射および共感性対光反射（光が照射されていない方の瞳孔も同様に変化すること）まで所定時間かかるためである。
【００６３】
＜＜４．補足＞＞
続いて、本実施形態による情報処理システムについて補足の説明を行う。図１を参照して説明した情報処理装置１は、左右いずれか一方の眼に光を照射し、反対側の眼を撮像するよう照明部１６と撮像部１０が配置されているが、本開示はこれに限定されない。
【００６４】
図７は、本実施形態の変形例による情報処理装置１’を説明する図である。図７に示すように、情報処理装置１’は、図１に示す情報処理装置１と同様に、メガネ型ウェアラブルデバイスにより実現され、ユーザに装着された際にユーザの右眼の前に位置する右眼用レンズ部２Ｒと、ユーザの左眼の前に位置する左眼用レンズ部２Ｌとを有する。本変形例では、右眼用レンズ部２Ｒおよび左眼用レンズ部２Ｌの縁部に、それぞれ照明部１６Ｒ、１６Ｌが設けられ、また、右眼用レンズ部２Ｒおよび左眼用レンズ部２Ｌの縁部に、それぞれ撮像部１０Ｒ、１０Ｌが設けられている。
【００６５】
このような構造を有することで、情報処理装置１’は、右眼および左眼のいずれの虹彩画像も鮮明な状態で取得することができる。すなわち、右眼の虹彩画像を取得する場合、情報処理装置１’は、左眼用レンズ部２Ｌの縁部に設けられた照明部１６Ｌで左眼を照射し、右眼用レンズ部２Ｒの縁部に設けられた撮像部１０Ｒで右眼を撮像する。また、左眼の虹彩画像を取得する場合、情報処理装置１’は、右眼用レンズ部２Ｒの縁部に設けられた照明部１６Ｒで右眼を照射し、左眼用レンズ部２Ｌの縁部に設けられた撮像部１０Ｌで左眼を撮像する。これにより、左右一方の眼の虹彩画像を取得する場合には他方の眼を照射して、照射していない一方の眼を撮像することで、反射光（輝点）が映り込まない鮮明な虹彩画像を取得することができる。
【００６６】
人間の眼の虹彩は、左右で異なるため、登録された虹彩コードが右眼である場合は右眼の虹彩コード、登録された虹彩コードが左眼である場合は左眼の虹彩コードが必要になるため、左右いずれの眼の虹彩画像も鮮明に取得できるようにすることで、利便性が向上する。また、情報処理装置１’によれば、両目の虹彩コードの登録や認証も可能となる。
【００６７】
＜＜５．まとめ＞＞
上述したように、本開示の実施形態による情報処理システムでは、ユーザの視界を妨げることなく、照明による反射光が映り込まない鮮明な虹彩画像を撮像することが可能となる。これにより、虹彩コード登録時における虹彩画像不鮮明による撮り直しを防止し、また、認証時における認証の精度を向上させることができる。
【００６８】
また、装置の小型化を実現することができる。
【００６９】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７０】
例えば、図１に示す情報処理装置１では、撮像部１０と照明部１６が同一体に設けられているが、撮像部１０と照明部１６は各々別体に設けられていてもよい。例えば、片眼タイプのウェアラブルデバイスに撮像部１０が設けられ、設置／固定タイプの装置に照明部１６が設けられているシステムであってもよい。この場合、照明部１６は超指向性のスポットライトでユーザの片方の眼に光を照射し、他方の眼を片眼タイプのウェアラブルデバイスの撮像部１０で撮像する。また、ユーザが装着するウェアラブルデバイス（スマートバンド、スマートウォッチ、またはスマートアイグラス等）やスマートフォン等に撮像部１０と照明部１６が夫々別に設けられるシステムであってもよい。
【００７１】
また、図７に示す情報処理装置１’では、撮像部１０Ｌ、１０Ｒ、および照明部１６Ｌ、１６Ｒが同一体に設けられているが、撮像部１０Ｌおよび照明部１６Ｌと、撮像部１０Ｒおよび照明部１６Ｒは、各々別体に設けられていてもよい。
【００７２】
また、上述した情報処理装置１、１’に内蔵されるＣＰＵ、ＲＯＭ、およびＲＡＭ等のハードウェアに、情報処理装置１、１’の機能を発揮させるためのコンピュータプログラムも作成可能である。また、当該コンピュータプログラムを記憶させたコンピュータ読み取り可能な記憶媒体も提供される。
【００７３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００７４】
なお、本技術は以下のような構成も取ることができる。
（１）
左右いずれか一方の眼に向けて光を照射する照明部と、
前記一方と異なる他方の眼を撮像する撮像部と、
前記照明部により前記一方の眼に向けて光を照射している際に前記他方の眼を前記撮像部により撮像するよう制御する制御部と、
を備える、制御システム。
（２）
前記制御システムは、
前記撮像部により撮像された撮像画像から虹彩画像を認識する虹彩認識部をさらに備える、前記（１）に記載の制御システム。
（３）
前記制御システムは、
前記撮像画像から認識される瞳孔のサイズを検出する瞳孔サイズ検出部をさらに備え、
前記制御部は、前記検出された瞳孔サイズに応じて、目的の瞳孔サイズを取得するよう照明制御を行う、前記（２）に記載の制御システム。
（４）
前記制御部は、前記検出された瞳孔サイズが目的の瞳孔サイズより大きい場合、照度を上げるよう照明制御する、前記（３）に記載の制御システム。
（５）
前記制御部は、前記検出された瞳孔サイズが目的の瞳孔サイズより小さい場合、照度を下げるよう照明制御する、前記（３）に記載の制御システム。
（６）
前記制御部は、前記認識された虹彩画像に基づく虹彩コード、当該虹彩画像を認識した際の瞳孔サイズ、およびユーザＩＤを対応付けて記憶するよう制御する、前記（２）〜（５）のいずれか１項に記載の制御システム。
（７）
前記制御システムは、
前記認識された虹彩画像に基づいて虹彩認証を行う虹彩認証部をさらに備える、前記（２）〜（６）のいずれか１項に記載の制御システム。
（８）
前記制御部は、前記照明部による照明がＯＦＦの状態から撮像を開始するよう制御する、前記（１）〜（７）のいずれか１項に記載の制御システム。
（９）
左右いずれか一方の眼を撮像する撮像部と、
前記一方と異なる他方の眼に向けて光を照射する照明部と、
前記照明部により前記他方の眼に向けて光を照射している際に前記一方の眼を前記撮像部により撮像するよう制御する制御部と、
を備える、情報処理装置。
（１０）
照明部により左右いずれか一方の眼に向けて光を照射している際に、前記一方と異なる他方の眼を撮像部により撮像するよう制御することを含む、制御方法。
（１１）
コンピュータを、
照明部により左右いずれか一方の眼に向けて光を照射している際に、前記一方と異なる他方の眼を撮像部により撮像するよう制御する制御部として機能させるための、プログラム。
【符号の説明】
【００７５】
１    情報処理装置
１０    撮像部
１１    画像取得部
１２    瞳孔サイズ検出部
１３    瞳孔サイズ比較部
１４    虹彩コード記憶部
１５    照明制御部
１６    照明部
１７    撮像制御部
１８    虹彩認識部
１９    虹彩認証部
２Ｒ    右眼用レンズ部
２Ｌ    左眼用レンズ部
３Ｒ    右眼
３Ｌ    左眼
３０    虹彩
３１    瞳孔
３３    輝点
４０、４１    撮像画像
１００    撮像部
１６０    照明部
【図１】
2016080031.tif 000003
【図２】
2016080031.tif 000004
【図３】
2016080031.tif 000005
【図４】
2016080031.tif 000006
【図５】
2016080031.tif 000007
【図６】
2016080031.tif 000008
【図７】
2016080031.tif 000009
【国際調査報告】
2016080031.tif 000010
2016080031.tif 000011
2016080031.tif 000012
2016080031.tif 000013